(57)【特許請求の範囲】
【請求項１】
管状の柱の下端を押圧閉口した土中挿入部で地上に植立てられる基礎柱と、
樋を受ける樋受け具を樋受け軸上方に設け、前記軸の下端から前記基礎柱に挿入され相対位置可変に支持される樋受け具部と、
前記基礎柱の上端に設けられ、前記基礎柱に前記樋受け軸を延伸状態で所望の位置関係を保って固定する締結具と、から構成した樋受け柱組立において、
前記締結具は、前記基礎柱の上端に固定された筒状体と、
前記筒状体の壁面に螺合し、前記樋受け軸の側面を押圧する止めねじと、から構成されていることを特徴とする樋受け柱組立。
【請求項２】
管状の柱の下端を押圧閉口した土中挿入部で地上に植立てられる基礎柱と、
樋を受ける樋受け具を樋受け軸上方に設け、前記軸の下端から前記基礎柱に挿入され相対位置可変に支持される樋受け具部と、
前記基礎柱の上端に設けられ、前記基礎柱に前記樋受け軸を延伸状態で所望の位置関係を保って固定する締結具と、から構成した樋受け柱組立において、
前記樋受け軸は、管であり、上端開口孔には、樋受け具の底部にかしめつけられている連結駒の下側中心の固定軸が挿入固定され、
前記連結駒の本体部外径は前記樋受け軸の外径と同一であることを特徴とする樋受け柱組立。
【発明の詳細な説明】
【技術分野】
【０００１】
本発明は、雨水等の排水に用いられる樋を、樋の高さや支持方向を種々の場所や状況に対応して変更し、支持できる樋受け柱組立に関する。
さらに詳しく言えば、管状の柱の下端部を変形した土中挿入部を有し、地上に植立される基礎柱と、軸上端に樋受け具を設け前記軸の下端から前記基礎柱に挿入され相対位置可変に支持される樋受け軸と、前記基礎柱の上端に設けられ、前記樋受け軸を延伸状態で前記基礎柱と所望の位置関係を保って固定する締結具から構成した樋受け柱組立に関する。
【背景技術】
【０００２】
雨水等の排水に用いられる樋を、その高さを変更し、支持できる樋受け支持具が種々提案されている。
この種の樋受け支持具として、地表面に配置固定された支柱に対して樋受金具等の高さ位置を調節して固定し、排水樋を設置する排水設備の発明（特許文献１）、地面と軒裏との間に立設される上下に伸縮可能な１対の支柱間に複数の樋受具を具備した樋受装置の考案（特許文献２）、一対の伸縮スタンドと複数の樋金具を有し、伸縮スタンド間に張架される竿杆とからなる樋支持装置の考案（特許文献３）が知られている。
しかしながら、これらの樋受け支持具は、いずれも大嵩であり、形態や設置において、簡便さを欠く虞がある。
特許文献４に係る樋支持具は、ビニールハウスに用いられるものであり、支柱を用いないが棟方向に沿って設けられた大きいチャンネル部材が必要となる。
【先行技術文献】
【特許文献】
【０００３】
【特許文献１】特開２００３−２０４７１５号公報
【特許文献２】実開昭６０−１４３８２２号公報
【特許文献３】実開昭５７−１７４６２６号公報
【特許文献４】特許第４５０５０３４号公報
【発明の概要】
【発明が解決しようとする課題】
【０００４】
本発明の目的は、従来装置の問題点に鑑みて、雨水等の排水に用いられる樋を、樋の高さや支持方向を種々の場所や状況に対応して変更し、支持できる樋受け柱組立を提供することにある。
【課題を解決するための手段】
【０００５】
前記目的を達成するために、請求項１記載の発明は、
管状の柱の下端を押圧閉口した土中挿入部で地上に植立てられる基礎柱と、
樋を受ける樋受け具を樋受け軸上方に設け、前記軸の下端から前記基礎柱に挿入され相対位置可変に支持される樋受け具部と、
前記基礎柱の上端に設けられ、前記基礎柱に前記樋受け軸を延伸状態で所望の位置関係を保って固定する締結具と、から構成した樋受け柱組立において、
前記締結具は、前記基礎柱の上端に固定された筒状体と、
前記筒状体の壁面に螺合し、前記樋受け軸の側面を押圧する止めねじと、から構成されていることを特徴とする。
【０００６】
前記目的を達成するために請求項２記載の発明は、
管状の柱の下端を押圧閉口した土中挿入部で地上に植立てられる基礎柱と、
樋を受ける樋受け具を樋受け軸上方に設け、前記軸の下端から前記基礎柱に挿入され相対位置可変に支持される樋受け具部と、
前記基礎柱の上端に設けられ、前記基礎柱に前記樋受け軸を延伸状態で所望の位置関係を保って固定する締結具と、から構成した樋受け柱組立において、
前記樋受け軸は、管であり、上端開口孔には、樋受け具の底部にかしめつけられている連結駒の下側中心の固定軸が挿入固定され、
前記連結駒の本体部外径は前記樋受け軸の外径と同一であることを特徴とする。
【発明の効果】
【０００７】
上記構成によれば、管の下端部を押圧閉口させた土中挿入部を土中に押し込むことにより、基礎柱を地上に植立させることができ、ビニールハウス内外を問わず、挿入部を受け入れる僅かな地表があれば、容易に固定できる。
樋受け軸の上端に樋受け具が設けられ、軸の下端から基礎柱に挿入され相対位置可変に構成されているから、樋受け軸を延伸状態で基礎柱と所望の位置関係を保って締結具で固定できる。
【０００８】
上記構成によれば、締結具は、基礎柱の上端に固定された筒状体と、筒状体の壁面に螺合し、樋受け軸の側面を押圧する止めねじから構成されているから、樋受け具部と基礎柱は容易に結合または離脱できる。
さらに、樋受け軸は、管であるため、軽量であり、上端開口孔には、樋受け具の底部にかしめつけられている連結駒の下側中心の固定軸が挿入固定され、連結駒の本体部外径は樋受け軸の外径と同一であるから、連結駒と樋受け軸は同じ機能を果たすことができる。
【図面の簡単な説明】
【０００９】
【図１】本発明による樋受け柱組立の実施例を示す図であり、（Ａ），（Ｂ）および（Ｃ）はそれぞれ正面図，右側面図および左側面図である。
【図２】本発明による樋受け柱組立の実施例において、樋受け軸を引き出した状態を示す図である。
【図３】本発明による樋受け柱組立の実施例の頭部の拡大正面図である。
【図４】本発明による樋受け柱組立の実施例の拡大平面図である。
【図５】本発明による樋受け柱組立の実施例の頭部の拡大断面図である。
【図６】本発明による樋受け柱組立の実施例の拡大底面図である。
【図７】本発明による樋受け柱組立の実施例の下部の拡大正面図である。
【図８】図７の底面図である。
【図９】本発明による樋受け柱組立の実施例の下部の拡大断面図である。
【図１０】本発明による樋受け柱組立の実施例の頭部の樋が樋受け具に搭載された状態を示す正面図である。
【図１１】本発明による樋受け柱組立をビニールハウスの雨水を受ける樋受けに用いる例を示すための略図である。
【発明を実施するための形態】
【００１０】
以下、図面を参照して本発明の実施の形態を詳しく説明する。
図１は、本発明による樋受け柱組立の実施例を示す図であり、（Ａ），（Ｂ）および（Ｃ）はそれぞれ正面図，右側面図および左側面図である。背面図は正面図と対称に現れるから省略してある。図２は、本発明による樋受け柱組立において、樋受け軸を引き出した状態を示す図である。
図１，図２に示したように、本発明による樋受け柱組立１０は、基礎柱２を有し、基礎柱２は管の下端部を押圧閉口させた土中挿入部２ａを備え、この土中挿入部２ａにより地上に植立される。樋受け軸（パイプ）１ｂ上端には樋受け具１ａが設けられており、樋受け軸１ｂの下端から基礎柱２に挿入され、長さ方向・回転方向の相対位置可変に支持される。
【００１１】
締結具３は、基礎柱２の上端に設けられており、基礎柱２に樋受け軸１ｂを延伸状態で所望の位置関係を保って固定する。締結具３は、樹脂製の円筒（筒状体）３ａと蝶ねじ状の止めねじ３ｂからなり、円筒（筒状体）３ａは、基礎柱２の上端に一体に設けられている（図５参照）。
図５に示されているように、円筒３ａの内壁下方は基礎柱２の先端外周に接合固定されている。樋受け柱組立１０の樋受け具部１は基礎柱２に対して長さ方向・回転方向の相対位置を所望の関係を保って締結具３の止めねじ３ｂにより固定される。即ち締結具３の止めねじ３ｂが図５に示す位置から樋受け具部１の連結駒１ｃの本体部１ｃy または樋受け軸（パイプ）１ｂを押して、樋受け具部１を基礎柱２の円柱状部分２ｂに押し当て固定する。
【００１２】
図３，図４および図５は、それぞれ本発明による樋受け柱組立の頭部の拡大正面図，拡大平面図および拡大断面図（Ｃ−Ｃ’線断面図）であり、図１のＡ−Ａ’部分を拡大したものである。
図３〜図５に示されているように、樋受け具１ａは、幅１５ｍｍ程度の上方向に開口する樋受け用の金具である。樋受け具１ａは、連結駒１ｃのかしめ部１ｃx で連結駒の本体部１ｃy に固定され、連結駒の固定軸１ｃz は樋受け軸１ｂに挿入固定されて樋受け具部１を構成している。樋受け具部１で受けられた樋４（図１０，図１１参照）は、ビニールハウス５から流出する雨水を直接または適宜の案内手段（例えばビニールハウスのビニール天蓋部５ａまたは側壁面５ｂに接続された雨水誘導用ビニールシート５ｃ）で誘導して受け入れる。図１１に示す３組立においては、樋受け柱組立１０−１、１０−２、１０−３の順に樋受け具部１の引き出し量が小さくなり、樋４の高さはこの順で下がっており、雨水は右方向に搬出される。
【００１３】
図６，図７，図８および図９は、本発明による樋受け柱組立の下部の拡大図である。図６は図１の（Ａ）の拡大底面図、図７は図１の（Ａ）のＢ−Ｂ’部分拡大図、図８は図７の底面図、図９は図８のＤ−Ｄ’線断面図である。
図６〜図９に示されているように、樋受け柱組立の最下端部の正面，背面は閉口平面となるようにプレスされ、土中挿入部２ａを形成している。土中挿入部２ａの左右表面はそれぞれ略半円柱状である。土中挿入部２ａの上端と基礎柱２の円柱状部分２ｂの下端とは、なだらかに連続しており、その連続部分の水平断面は、楕円形状に近似している。図９に示すように円柱状部分２ｂ中に樋受け軸１ｂの下端が現れている。樋受け軸１ｂが到達できる最下端は基礎柱２の内径が円状を保っている所を越えることはない。この構成によれば、樋受け軸１ｂは最も低い位置においても基礎柱２の円柱状部分２ｂ内にあるから、樋受け具部１は基礎柱２に対して容易に回転し、任意の角度位置をとることができる。
【００１４】
図１０は、本発明による樋受け柱組立の実施例の頭部の樋が樋受け具に搭載された状態を示す正面図であり、樋受け具１ａが基礎柱２から僅かに引き出された状態で締結具３により固定されている状態を示している。このような樋受け柱組立をビニールハウス５の側面に配置し樋４を僅かな勾配を保って支持した例を図１１に示してある。
ビニールハウス５の側壁面５ｂに沿って植立された３本の基礎柱２−１，２−２，２−３に支持固定された樋受け具部の樋受け具１ａ−１，１ａ−２，１ａ−３は右側に向かって順次低くなり、樋４は右下がりに支持されている。
【００１５】
以上詳しく説明した実施例につき、本発明の範囲内において種々の変形を施すことができる。止めねじとして設置解体の折に使い勝手のよい蝶ねじの例を示したが、通常のノブを用いることもできる。各部の材質も、用途必要強度に対応して、既存の材料から種々の採択が可能である。
【産業上の利用可能性】
【００１６】
本発明による樋受け柱組立は、例示したビニールハウスにおける、雨水の散乱の防止または雨水利用のための樋支持用に使用する他、野外の設備にも広く利用できる。
例えば、野外の露天市場等の仮設店舗で天蓋から落下する雨水の誘導，キャンプの設備における仮の雨樋の支持組立等である。
さらには屋内の生産ライン等で生じる汚水等の誘導廃棄にも利用できる。
【符号の説明】
【００１７】
１  樋受け具部
１ａ，１ａ−１，１ａ−２，１ａ−３  樋受け具
１ｂ  樋受け軸（パイプ）
１ｃ  連結駒
１ｃx   連結駒のかしめ部
１ｃy   連結駒の本体部
１ｃz   連結駒の固定軸
２，２−１，２−２，２−３  基礎柱
２ａ，２ａ−１，２ａ−２，２ａ−３  土中挿入部
２ｂ  基礎柱の円柱状部分
３  締結具
３ａ  円筒（筒状体）
３ｂ  止めねじ
４  樋
５  ビニールハウス
５ａ  ビニールハウスの天蓋部
５ｂ  ビニールハウスの側壁面
５ｃ  雨水誘導用ビニールシート
６  土壌
１０，１０ａ−１，１０ａ−２，１０ａ−３  樋受け柱組立
【図１】
0006518938.tif 000002
【図２】
0006518938.tif 000003
【図３】
0006518938.tif 000004
【図４】
0006518938.tif 000005
【図５】
0006518938.tif 000006
【図６】
0006518938.tif 000007
【図７】
0006518938.tif 000008
【図８】
0006518938.tif 000009
【図９】
0006518938.tif 000010
【図１０】
0006518938.tif 000011
【図１１】
0006518938.tif 000012